(57)【要約】【課題】  空調運転時には障害を生じ難く、且つ、コイルの洗浄作業時には手間を掛けずに効率よく作業を実施できるようにする。【解決手段】  風路両端部に風通過口部５ａ，５ｂを各別に備えたケーシング５、ケーシング５内で風路に沿って横並びに設けられたファン６とコイル７、及び、コイル７の下方に設けられたドレンパン８を備えた空調装置において、ケーシング５周壁のうち、コイル７を覆う箇所の側方部分、又は、上方部分の少なくとも一方に、開閉自在な開閉口１０が設けてあり、コイル７の配置部の近傍に、風路を仕切る仕切板Ｐを着脱自在な仕切板着脱部１１が設けてある。【選択図】        図２
2005180735.tif 000002
【特許請求の範囲】
【請求項１】
風路両端部に風通過口部を各別に備えたケーシング、ケーシング内で風路に沿って横並びに設けられたファンとコイル、及び、前記コイルの下方に設けられたドレンパンを備えた空調装置であって、
前記ケーシング周壁のうち、前記コイルを覆う箇所の側方部分、又は、上方部分の少なくとも一方に、開閉自在な開閉口が設けてあり、前記コイルの配置部の近傍に、前記風路を仕切る仕切板を着脱自在な仕切板着脱部が設けてある空調装置。
【請求項２】
前記仕切板着脱部は、前記コイルと前記ファンとの間、及び、前記コイル側の前記風通過口部と前記コイルとの間に配置してある請求項１に記載の空調装置。
【請求項３】
前記仕切板着脱部は、前記仕切板をスライド自在な溝部として形成してある請求項１又は２に記載の空調装置。
【請求項４】
前記仕切板着脱部に着脱自在な仕切板が設けられ、その仕切板には、照明手段が備えてある請求項１〜３の何れか一項に記載の空調装置。
【発明の詳細な説明】
【技術分野】
【０００１】
本発明は、風路両端部に風通過口部を各別に備えたケーシング、ケーシング内で風路に沿って横並びに設けられたファンとコイル、及び、前記コイルの下方に設けられたドレンパンを備えた空調装置に関する。
【背景技術】
【０００２】
従来、この種の空調装置においては、長期間使用していると、空気中の塵や埃等が接触面に付着して汚れが生じる。特に、多数のフィン間に細かな隙間をあけて風路を確保してある前記コイルは、他の部分より汚れ易い。汚れが激しくなると、空調としての空気の流れや熱交換に障害を来す危険性があるから、障害発生防止の意味から清掃を行う必要がある。但し、風路の入り口側にフィルタを設けてある場合には、汚れの度合いは著しく低下することができ、頻繁にコイルの清掃を行う必要はなく、例えば、数年に一度といった頻度で実施する例が多い。
【０００３】
従来の空調装置としては、コイルの設置部分の風路上手側と風路下手側に各別に設けられた機械式ダンパーや、コイルに洗浄液を噴射する噴射ノズルや、洗浄後に乾燥空気を吹き付ける乾燥機構等からなる乾燥装置をケーシング内に設けて自動的にコイルの洗浄を行うもの（例えば、特許文献１参照）があったが、前記乾燥装置が、空気の流通の妨げになり易いことや、コストが高い等の問題があった。そして、一般的には、図８、図９に示すような構造のものが多用されている。
即ち、その空調装置２０は、ケーシング５の底部５ｃを取り外せるように形成してあり、その底部５ｃを取り外すと共に、接続してあるダクト２類も取り外した後、その開口２１からファン６をユニット毎取り外し、取り外した空間に洗浄用ノズル２２を突っ込んでコイル７を洗浄できるように構成してあった。
【０００４】
【特許文献１】特開２００３−１６６７９９号公報（図１）
【発明の開示】
【発明が解決しようとする課題】
【０００５】
上述した前者の空調装置によれば、既に述べたように、空気の流通障害を生じ易く、且つ、コスト高になり易い問題点があり、その問題点を改善された後者の空調装置によれば、洗浄の都度、ファンユニットを取り外す必要があり、手間が掛かりやすい問題点がある。そして、洗浄液がダクト部分にまで飛散して風路内の電気部品が故障し易い問題点もある。
また、空調装置の設置場所が、例えば、天井裏スペースである場合には、狭い空間でファンユニットの取り外し作業や洗浄作業を実施しなければならないから、作業そのものが実施し難く、洗浄作業効率が低下し易い問題もある。但し、これらの問題点を緩和するために、空調装置の直下の天井部分に大点検口を形成しておき、ケーシングの底部やファンユニットをその大点検口を通して取り外せるように形成しておく方法が考えられるが、この場合は、室内意匠上の美観性が低下し易く好ましくない。
【０００６】
従って、本発明の目的は、上記問題点を解消し、空調運転時には障害を生じ難く、且つ、コイルの洗浄作業時には手間を掛けずに効率よく作業を実施できる空調装置を提供するところにある。
【課題を解決するための手段】
【０００７】
本発明の第１の特徴構成は、風路両端部に風通過口部を各別に備えたケーシング、ケーシング内で風路に沿って横並びに設けられたファンとコイル、及び、前記コイルの下方に設けられたドレンパンを備えた空調装置において、前記ケーシング周壁のうち、前記コイルを覆う箇所の側方部分、又は、上方部分の少なくとも一方に、開閉自在な開閉口が設けてあり、前記コイルの配置部の近傍に、前記風路を仕切る仕切板を着脱自在な仕切板着脱部が設けてあるところにある。
【０００８】
本発明の第１の特徴構成によれば、前記ケーシング周壁のうち、前記コイルを覆う箇所の側方部分、又は、上方部分の少なくとも一方に、開閉自在な開閉口が設けてあり、前記コイルの配置部の近傍に、前記風路を仕切る仕切板を着脱自在な仕切板着脱部が設けてあるから、前記開閉口を開いた状態にしたり、閉じた状態にすることができると共に、前記仕切板着脱部に仕切板を取り付けたり取り外すことが簡単に行える。
そして、前記開閉口は、コイルの側方部分（又は上方部分）に形成してあるから、例えば、天井裏等の狭い空間で、天井板ぎりぎりに空調装置が設置してある状態でも、側方（又は上方）で開いている開閉口を通して洗浄ノズルをコイル近傍に突っ込んで、簡単に洗浄作業を実施することができる。勿論、洗浄に用いるまでもなく、単に状況観察するだけの場合でも有効である。
また、仕切板着脱部に仕切板を取り付ければ、洗浄液が風路内で飛散するのを仕切板で遮断して、ファンやダクト等に掛かるのを防止することが可能となり、ファンやダクト等に洗浄液が掛かる事を心配せずに洗浄作業を実施できるようになる。その結果、狭い空間でも効率よく洗浄作業を実施することが可能となる。勿論、洗浄に伴う前記電気部品の故障発生を未然に防ぐことも可能である。
一方、前記仕切板を取り外すと共に、開閉口を閉じることで、空調装置内には所定の風路が確保されるから、通常の使用状態として復元することができる。
以上の結果、空調運転時には障害を生じ難く、且つ、コイルの洗浄作業時には手間を掛けずに効率よく作業を実施できるようになる。
【０００９】
本発明の第２の特徴構成は、前記仕切板着脱部は、前記コイルと前記ファンとの間、及び、前記コイル側の前記風通過口部と前記コイルとの間に配置してあるところにある。
【００１０】
本発明の第２の特徴構成によれば、本発明の第１の特徴構成による上述の作用効果を叶えることができるのに加えて、前記コイルと前記ファンとの間、及び、前記コイル側の前記風通過口部と前記コイルとの間にそれぞれ配置された仕切板着脱部に対して、仕切板を取り付けたり取り外したりすることが自由にできるようになる。
従って、両仕切板着脱部にそれぞれ仕切板を取り付ければ、風路を洗浄対象のコイルの両側で遮断することが可能となり、洗浄液が空調装置内のファンや、連設されたダクト内に飛散して掛かるのをより確実に防止することができる。その結果、洗浄液が掛かることによる電気部品の故障を未然に防止することができる。
【００１１】
本発明の第３の特徴構成は、前記仕切板着脱部は、前記仕切板をスライド自在な溝部として形成してあるところにある。
【００１２】
本発明の第３の特徴構成によれば、本発明の第１又は２の特徴構成による上述の作用効果を叶えることができるのに加えて、溝部といった簡単な構造であるから、構成部材の製作手間を最小限に抑えることができ、且つ、仕切板の着脱操作を、スライド移動という極めて単純な動作によって叶えることが可能となる。
その結果、装置そのもののコスト低減を図れると共に、洗浄作業の作業性の向上を図ることが可能となる。
【００１３】
本発明の第４の特徴構成は、前記仕切板着脱部に着脱自在な仕切板が設けられ、その仕切板には、照明手段が備えてあるところにある。
【００１４】
本発明の第４の特徴構成によれば、本発明の第１〜３の何れかの特徴構成による上述の作用効果を叶えることができるのに加えて、個別に照明器具を設置しなくても、当該仕切板を仕切板着脱部に取り付ければ、その近傍を前記照明手段で照明することができる。
従って、例えば、天井裏等の空間に当該空調装置が取り付けてある場合であっても、コイル部分を前記照明手段で明るく照らして目視確認しながら作業を実施することが可能となる。その結果、より確実に、且つ、効率よく洗浄作業を実施することが可能となる。
そして、照明手段が仕切板と共に設けられていることで、別途、照明器具を設置するのに比べて省スペース化を図ることができ、狭い場所での点検作業や洗浄作業等をより実施し易くすることが可能となる。
【発明を実施するための最良の形態】
【００１５】
以下に本発明の実施の形態を図面に基づいて説明する。尚、図面において従来例と同一の符号で表示した部分は、同一又は相当の部分を示している。
【００１６】
図１は、本発明の空調装置の一実施形態であるファンコイルユニット１を設置してある状況を示すものでる。
ファンコイルユニット１、及び、そのファンコイルユニット１に連通接続されたダクト２は、天井裏空間に設置してあり、それぞれ天井スラブ３から吊り金具４によって吊り支持されている。
【００１７】
前記ファンコイルユニット１を詳しく説明する。
前記ファンコイルユニット１は、図１〜３に示すように、外周部は、金属でできた箱状のケーシング５で覆われており、そのケーシング５内空部が風路となっている。
ケーシング５内には、風路に沿って横並びにファン６とコイル７とが設置されている。そして、前記コイル７の下方は、ケーシング５が切り欠いてあり、その部分には、ドレンパン８が取り付けてある。
尚、ケーシング５の風路両端部には、それぞれ前記ダクト２を連通接続自在なダクト接続部（風通過口部に相当）５ａ、５ｂがそれぞれ設けられている。そして、風路におけるファン６側からコイル７側へ空気が流れるように設定してあり、風路上手側のダクト接続部５ａとファン６との間には、風路に交わる方向で複数のフィルタ９が着脱自在な状態に設けられている。このフィルタ９は、メンテナンスできるように、ケーシング５の側方から風路内に抜き差し自在な状態に取り付けられている。
また、前記天井スラブ３からの吊り金具４は、前記ケーシング５の上板部分に取り付けられている。
【００１８】
前記ファン６は、図３に示すように、ファン本体６Ａと、そのファン本体６Ａを回転駆動させる電動機６Ｂと、それらを支持する支持プレート６Ｃとを備えて構成してある。
前記支持プレート６Ｃは、その外周部をケーシング５に内接する状態に取り付けてある。そして、左右に各別に風路となる貫通穴が設けてあり、その貫通穴に前記ファン本体６Ａの吹き出し口が一致する状態に、前記ファン本体６Ａが支持プレート６Ｃに固定してある。また、支持プレート６Ｃの中央部には前記電動機６Ｂが取り付けてある。
従って、前記電動機６Ｂを回転駆動させることによって、ファン本体６Ａが回転し、風路上手側から下手側へ送風することができる。
【００１９】
前記コイル７は、図４に示すように、隙間をあけて並設した多数の金属製フィン７ａと、それら多数のフィン７ａを貫通する状態に設けられた金属製の熱交換パイプ７ｂとを備えて構成してあり、前記熱交換パイプ７ｂ内に例えば冷媒を通過させることによって、各フィン７ａ間の隙間からなる風路を通過する空気が、前記多数のフィン７ａや熱交換パイプ７ｂを介して冷媒と熱交換することが出来るように構成してある。
因みに、コイル７は、前記ケーシング５の側壁部に取り付けてあり、前記熱交換パイプ７ｂもケーシング５の側壁部に延出する状態に設けられている。
【００２０】
前記ケーシング５の側壁部のうち、前記コイル７の熱交換パイプ７ｂが延出している部分の両側には、図４に示すように、開閉自在な開閉口１０が各別に設けられている。
開閉口１０の構造の一例を挙げるならば、ケーシング側壁部に形成された開口ｈを閉塞自在な蓋プレート１０ａと、この蓋プレート１０ａを開口ｈ周囲のケーシング部分に固定する複数のビス１０ｂとを設けた構成が考えられる。勿論、他の構造を採用することも可能である。そして、この開閉口１０は、前記蓋プレート１０ａを外すことで前記開口ｈが表面に現れるから、その開口ｈを通して、内部の状況を観察したり、点検を行ったり、前記コイル７を洗浄するための洗浄ノズルを挿入してコイル７の洗浄を行ったりすることができるようになる。
【００２１】
また、ケーシング５内には、前記コイル７の配置部の近傍に、前記風路を仕切る仕切板Ｐを着脱自在な溝部（仕切板着脱部の一例）１１が設けてある。
この溝部１１は、図３、図４に示すように、風路を横断する方向で、凹部が上下に対向する状態に各別に設けてある。また、平面的な設置位置は、前記コイル７と前記ファン６との間、及び、前記コイル７と前記風路下手側の前記ダクト接続部５ｂとの間にそれぞれ設けてある。従って、前記開閉口１０を開いた状態で、ケーシング５外部から、前記仕切板Ｐの上下縁部を上下の溝部１１に嵌めてスライドさせながら押し込むことで、風路を仕切る状態に仕切板Ｐをセットすることができる。因みに、仕切板Ｐは、金属や合成樹脂等、洗浄液が掛かっても支承のない材料で形成することが好ましく、更には、可撓性を備えさせてあれば、前記溝１１への着脱操作をより簡単に行うことができる。
このように、仕切板Ｐをセットすることで、前記開閉口１０を通してコイル７を洗浄する場合に、洗浄液が、ファン６や、ダクト内の電気部品に掛かることを防止することができる。
因みに、前記フィルタ９のメンテナンス用として、ファンコイルユニット１の側方の天井板部分に点検口Ｔが設けられていることが多く（図３参照）、当該ファンコイルユニット１の洗浄作業は、この点検口Ｔを使用してでも充分実施することが可能となる。
【００２２】
本実施形態のファンコイルユニットによれば、洗浄用の大きな開口部を天井に形成しなくても、従来の点検口Ｔを使用しながら、効率よくファンコイルユニットの洗浄を実施することができる。また、仕切板Ｐを取り外すと共に、蓋プレート１０ａを取り付けることで、通常運転のできる状態にファンコイルユニット１を復元することが可能となる。
【００２３】
〔別実施形態〕
以下に他の実施の形態を説明する。
【００２４】
〈１〉  前記開閉口１０は、先の実施形態で説明したように、ケーシング５周壁のコイル７を覆う箇所の側方部分に設けてあるものに限るものではなく、例えば、ケーシング周壁のコイル７を覆う箇所の上方部分に設けてあるものや、側方部分と上方部分の両方に設けてあるものであってもよい。それらを含めて開閉口と総称する。
〈２〉  また、開閉口の開閉構造は、先の実施形態で説明したものに限らず、例えば、蓋プレート１０ａを蝶番を介してケーシング５に取り付けてある構造や、蓋プレート１０ａをケーシング５に蓋プレート１０ａ着脱用のレールや溝等を形成しておき、スライドさせることで蓋プレート１０ａの開閉操作を実施できるように構成するものであってもよい。
〈３〉  また、蓋プレート１０ａは、取り外した状態で前記仕切板Ｐとして使用できるように形成してあってもよく、この場合は、空調装置の洗浄の際に、天井裏等の狭い場所に仕切板Ｐをわざわざ持ち込む必要が無くなり、手間が省けると共に、効率よく作業を進めることができる。
〈４〉  前記仕切板着脱部１１は、先の実施形態で説明した溝部に限るものではなく、例えば、ケーシング内周壁に、屈曲片部を設けておき、その近傍に仕切板Ｐを沿わせた状態で、前記屈曲片部を手で曲げて仕切板Ｐに係止させるという構造を採用したり、又は、マジックテープ（商標名）を、ケーシング５内周壁と仕切板Ｐの対応部とにそれぞれ設けておいて、相互の係止（及び係止解除）によって着脱を行えるように構成したり、ビス止めやファスナ等を使用するものであってもよく、それらを含めて仕切板着脱部と総称する。
〈５〉  前記仕切板Ｐは、先の実施形態で説明したものに限るものではなく、例えば、図５に示すように、照明手段１２が備えてあれば、極めて近い位置でコイル７を照らし出すことができ、見やすい状態で点検や洗浄を行うことが可能となる。
因みに、この照明手段１２は、図６に示すように、シート状の電極１３ａ，１３ｂ間に絶縁層１３ｃと蛍光体層１３ｄとを介装して一体化した面上発光体１３で構成してあり、この照明手段１２を仕切板Ｐのコイル７側面に接着し、電極１３ａ，１３ｂに電圧を掛けることでコイル７設置部近傍を明るく照明することができる。
また、照明手段１２の他の例としては、仕切板Ｐの表面に蓄光顔料を塗布した面上蓄光体を設けるものであってもよい。この場合は、仕切板着脱部１１に仕切板Ｐを取り付ける前に、光エネルギーを与えておくのが好ましい。
勿論、照明手段１２として蛍光灯や電球等を仕切板Ｐに一体的に設けてあってもよい。
更には、別の位置から仕切板Ｐに照射した光を反射することでコイル７設置部分を照明できるように構成する反射鏡で構成してあってもよい。
これらを含めて、照明手段と総称する。
また、仕切板Ｐは、先の実施形態では、可撓性を有するものであってもよいことを説明したが、この他にも、例えば、図７に示すように、複数の屈曲部１４を備え、仕切板着脱部１１への取り付けや取り外し時に、屈曲部１４で折り曲げながら作業できるように構成してあってもよい。この場合は、例えば、天井裏等の狭い空間内でのメンテナンス作業時に、仕切板Ｐを作業スペースに合わせて屈曲させながら取り扱うことができ、作業性の向上を図ることができる。更には、類似の他例としては、仕切板Ｐを複数分割自在に構成し、それら分割仕切板を連結部で連結しながら仕切板着脱部１１へ取り付けたり、取り外し時には連結部を外しながら各分割しきり板に分割できるように構成することも可能で、この場合は、仕切板Ｐを各分割仕切板に分割できることでコンパクト化が実現でき、狭い作業空間への仕切板搬入出をより簡単に実施できるようになる。
〈６〉  当該空調装置は、先の実施形態で説明したファンコイルユニットに限るものではなく、例えば、天井裏設置タイプ以外にも、据え置き設置タイプのものであってもよい。
また、ケーシング５の両方の風通過口部は、先の実施形態で説明したように何れもダクト接続部として構成することに限らず、例えば、風の入口側の風通過口部、又は、風の出口側の風通過口部の何れか一方のみをダクト接続部とし、他方はダクトを接続せずに使用するものであったり、又は、何れの風通過口部にもダクトを接続しない状態で使用するものであってもよい。ダクトを接続しない使用例は、隔壁を貫通する状態に当該空調装置を設置してあり、風通過口部が、隔壁の両側に各別に位置するような場合が挙げられる。
【００２５】
尚、上述のように、図面との対照を便利にするために符号を記したが、該記入により本発明は添付図面の構成に限定されるものではない。
【図面の簡単な説明】
【００２６】
【図１】ファンコイルユニットの設置状況を示す側面図
【図２】ファンコイルユニットに仕切板を取り付けた状態を示す側面視断面図
【図３】ファンコイルユニットに仕切板を取り付けた状態を示す一部切欠き上面視断面図
【図４】仕切板の取付状況を示す斜視図
【図５】別実施形態の仕切板の取付状況を示す斜視図
【図６】照明手段の一例を示す概念断面図
【図７】別実施形態の仕切板を示す斜視図
【図８】従来のファンコイルユニットを示す側面視断面図
【図９】従来のファンコイルユニットを示す分解斜視図
【符号の説明】
【００２７】
５      ケーシング
５ａ    ダクト接続部（風通過口部の一例）
５ｂ    ダクト接続部（風通過口部の一例）
６      ファン
７      コイル
８      ドレンパン
１０    開閉口
１１    溝部（仕切板着脱部の一例）
１２    照明手段
Ｐ      仕切板
【図１】
2005180735.tif 000003
【図２】
2005180735.tif 000004
【図３】
2005180735.tif 000005
【図４】
2005180735.tif 000006
【図５】
2005180735.tif 000007
【図６】
2005180735.tif 000008
【図７】
2005180735.tif 000009
【図８】
2005180735.tif 000010
【図９】
2005180735.tif 000011